(57)【要約】【課題】    家庭やオフィスで簡単に使用・採用でき、しかも省エネ効果が極めて大きな技術を提供することである。【解決手段】    夏季においては太陽光を遮光し、冬季においては太陽光を利用する為に窓部に配設される装置であって、  前記装置は、    シートと、    前記シートを着脱自在に挟持し、窓ガラス又は窓枠部に取り付けられるシート挟持具とを具備してなり、  前記シートは、    光が透過することの出来る孔部が一部に構成され、    前記光透過部以外の箇所において、該シートの一方の面に光を反射する光反射部が構成され、    前記光透過部以外の箇所において、該シートの他方の面に光を吸収する光吸収部が構成されてなり、    前記孔部には透明フィルムが設けられてなる。【選択図】  図７
2007085081.tif 000002
【特許請求の範囲】
【請求項１】
夏季においては太陽光を遮光し、冬季においては太陽光を利用する為に窓部に配設される装置であって、
前記装置は、
シートと、
前記シートを着脱自在に挟持し、窓ガラス又は窓枠部に取り付けられるシート挟持具
とを具備してなり、
前記シートは、
光が透過することの出来る光透過部が一部に構成され、
前記光透過部以外の箇所において、該シートの一方の面に光を反射する光反射部が構成され、
前記光透過部以外の箇所において、該シートの他方の面に光を吸収する光吸収部が構成されてなる
ことを特徴とする太陽光遮光・利用装置。
【請求項２】
夏季においては太陽光を遮光し、冬季においては太陽光を利用する為に窓部に配設される装置であって、
前記装置は、
シートと、
前記シートを着脱自在に挟持し、窓ガラス又は窓枠部に取り付けられるシート挟持具
とを具備してなり、
前記シートは、
光が透過することの出来る孔部が一部に構成され、
前記光透過部以外の箇所において、該シートの一方の面に光を反射する光反射部が構成され、
前記光透過部以外の箇所において、該シートの他方の面に光を吸収する光吸収部が構成されてなり、
前記孔部には透明フィルムが設けられてなる
ことを特徴とする太陽光遮光・利用装置。
【発明の詳細な説明】
【技術分野】
【０００１】
本発明は太陽光遮光・利用装置に関する。
【背景技術】
【０００２】
今日、省エネの観点から各種の技術が提案されている。例えば、Ｓｉ半導体を利用した太陽熱発電が良く知られている。又、風車を利用した風力発電も良く知られている。
【０００３】
しかしながら、上記のような大掛かりな装置を用いることなく、エネルギーの大量消費を出来るだけ少なくしようとすることも提案されている。そのような観点から鑑みたならば、例えば日よけとして用いられている「よしず」も省エネ装置の一つと見做すことが出来る。
【０００４】
事実、太陽光が強い夏季においては、日よけの有無のみでも大きく違う。例えば、日よけが無い場合には、冷房装置を利かせても、室内の温度は、それ程には、下がらず、暑い。そして、日よけが有る場合には、冷房装置の利き具合を強いものとしなくても十分である。
【０００５】
さて、ビル等の建築様式の進展に伴い、「よしず」は利用でき難くなっている。
そこで、ビルの窓ガラスにアルミ箔を貼り、アルミ箔によって太陽光を反射させることが考えられた。
【０００６】
しかしながら、アルミ箔を窓ガラス一面に貼る作業は大変である。かつ、アルミ箔で窓ガラスを覆ってしまうと、昼間でも、室内には太陽光が入って来ないから、室内は真っ暗闇の状態である。これでは、室内の温度上昇を抑制できると言っても、真っ暗闇であるから、明かりを点けていても、室内の環境は決して良好とは言えない。
【０００７】
そこで、樹脂シートの一面にＡｌを蒸着などの手段で設けると共に、採光用の孔を樹脂シート面に無数に形成したものが提案され、このシートを枠体に取り付けたものが提案されるに至った。すなわち、網戸における網の代わりに上記シートを張ったものが提案されるに至った。尚、Ａｌ蒸着面（表面）とは反対側面（裏面）は、黒色に着色されている。この黒色の着色は、冬季には、黒色面側を外側に面させれば、太陽光の吸収度が高まり、室内の暖房装置を大きく利かさなくても良くなることを目的としたものである。
【発明の開示】
【発明が解決しようとする課題】
【０００８】
さて、上記網戸のような製品は、使い勝手が非常に悪いことが判って来た。なぜならば、室外対向面が、冬季と夏季とでは、異なることから、少なくとも年２回は取り外し・嵌め込み作業が必要となり、そして網戸が、一度、外れると、網戸を正しく嵌め込むのは大変なことからも容易に推測できるであろう。
【０００９】
次に、網戸は、その上下に、レールが必要である。従って、一度、出来上がった家屋やビルに網戸を取り付ける為のレールを設ける作業は、中々、大変である。よって、上記のような製品が市販されても、それを買って来て取り付けようと考える者、殆ど、いないと推測できるであろう。
【００１０】
従って、本発明が解決しようとする課題は、家庭やオフィスで簡単に使用・採用でき、しかも省エネ効果が極めて大きな技術を提供することである。
【課題を解決するための手段】
【００１１】
前記の課題は、夏季においては太陽光を遮光し、冬季においては太陽光を利用する為に窓部に配設される装置であって、
前記装置は、
シートと、
前記シートを着脱自在に挟持し、窓ガラス又は窓枠部に取り付けられるシート挟持具
とを具備してなり、
前記シートは、
光が透過することの出来る光透過部が一部に構成され、
前記光透過部以外の箇所において、該シートの一方の面に光を反射する光反射部が構成され、
前記光透過部以外の箇所において、該シートの他方の面に光を吸収する光吸収部が構成されてなる
ことを特徴とする太陽光遮光・利用装置によって解決される。
【００１２】
又、夏季においては太陽光を遮光し、冬季においては太陽光を利用する為に窓部に配設される装置であって、
前記装置は、
シートと、
前記シートを着脱自在に挟持し、窓ガラス又は窓枠部に取り付けられるシート挟持具
とを具備してなり、
前記シートは、
光が透過することの出来る孔部が一部に構成され、
前記光透過部以外の箇所において、該シートの一方の面に光を反射する光反射部が構成され、
前記光透過部以外の箇所において、該シートの他方の面に光を吸収する光吸収部が構成されてなり、
前記孔部には透明フィルムが設けられてなる
ことを特徴とする太陽光遮光・利用装置によって解決される。
【発明の効果】
【００１３】
上記のように構成させた本発明の太陽光遮光・利用装置は、夏季においては、光反射部が構成されている側の面を室外に向けるようにすれば、太陽光線を効果的に反射するから、室内の温度上昇を効果的に抑制でき、冬季においては、光吸収部が構成されている側の面を室外に向けるようにすれば、太陽光線を効果的に吸収するから、室内の温度上昇を効果的に促進できる。従って、室内の温度を快適な方向に促進でき、省エネ効果が大きく発揮される。
【００１４】
しかも、シートには光透過部（微細な孔）が形成されているから、窓ガラスが本発明のシートで覆われていても、室内は以外と明るさが確保されている。
【００１５】
そして、光透過用に形成された孔は透明フィルムが設けられ、該孔を介しての空気の流動が無いので、熱の移動が遮られ、それだけ断熱効果に優れている。
【００１６】
かつ、本発明にあっては、上記特長を奏するシートの着脱が簡単である。すなわち、夏季には、光反射部が構成されている側の面を室外に向け、冬季には、光吸収部が構成されている側の面を室外に向けるようにしなければならない。従って、シートの表・裏を引っ繰り返す作業が、年に、最低でも、２回は必要である。その引っ繰り返し作業が簡単であることは絶対要件である。この絶対要件が本発明では満たされている。
【００１７】
更に、シートは埃・塵が付着し易い。従って、埃・塵が付着した場合、これを洗うことが必要な場合も有る。このような場合、本発明にあっては、シートと、該シートを着脱自在に挟持するシート挟持具とからなり、シートはシート単独で存在し得るから、シートのみを取り外すことが出来、よってシートのみを洗うことが出来、極めて好都合である。すなわち、シートには枠が一体化されていないことから、シートのみの取り外しが出来、極めて好都合である。
【発明を実施するための最良の形態】
【００１８】
図１〜図６は本発明に用いられるシート挟持具の説明図、図７は本発明に用いられるシートの平面図である。
【００１９】
本発明の装置は、シート挟持具と、シートとを備えたものである。
【００２０】
シート挟持具は、シートを挟持できるものであれば、如何なるものでも良い。例えば、面に取り付けられるベース体と、該ベース体と枢軸係合しベース体と協働してシートを挟持する閉止位置と、シートの挟持を解放する開放位置をとるレバー体とで構成され、前記ベース体とレバー体の何れか一方にバネ部が、他方にシート引き込み部が配設され、前記レバー体が開放位置から閉止位置へ移行する過程で、シートが前記バネ部とシート引き込み部に挟持されて引き込まれるシート挟持具が挙げられる（特開２００４−６５３８１参照）。
【００２１】
更に具体的に説明すると次の通りである。
図１はシート挟持具の平面図、図２は図１のＡ矢視図、図３は図１のＢ矢視図、図４は図１におけるＣ−Ｃ線断面図で、（ａ）は開放状態にあるロックレバーの断面図、（ｂ）はロック状態にあるロックレバーの断面図、図５は開放状態にあるシート挟持具の斜視図、図６は図５のＤ−Ｄ線断面図である。
【００２２】
１はシート挟持具であって、このシート挟持具１は、面に取り付けられるベース体２と、このベース体２と枢軸係合しベース体２と協働してシート体Ｓのコーナ部を挟持する閉止位置と、シート体Ｓのコーナ部の挟持を解放する開放位置をとるレバー体４とで構成されている。べース体２は、例えば合成樹脂などで平面視Ｌ字形の板状に一体成形され、このベース体２のコーナ部にはベース体２とほぼ同一形状に形成されたレバー体４が所定範囲で回動可能に枢着されている。ベース体２のコーナ部には、等角に２分割する４５度の軸線方向に外側に開口する一対のスリット溝６ａ，６ｂが形成され、両スリット溝６ａ，６ｂ間にはバネ部として構成された片持ち帯状体８が弾性変形可能に形成されている。両スリット溝６ａ，６ｂの開口端外側のベース体２のコーナ部上面には、レバー体４を回動可能に枢支する一対の板状支持片１０ａ，１０ｂが立設し、ベース体２の両端上面には平板状の例えばゴム材で構成された角形の粘性部材５ａ，５ｂが貼着されている。一方、ベース体２のコーナ部に回動可能に枢支されるレバー体４には、その両端の上記ベース体２の粘性部材５ａ，５ｂに対向するように肉厚部から成る挟持面１２ａ，１２ｂが形成されており、コーナ部の内側の細長突出部１４上面にはゴム状粘着部材１５が貼着されている。更に、シートコーナ引き込み部は、レバー体４のコーナ部外方の下面にあって、片持ち帯状体８と先端で当接可能な突状体１８で構成され、この突状体１８の近傍にはシートコーナを挟持する閉止位置においてシートコーナに当接する粘着部材２０が設けられている。そして、突状体１８の両端から突設した枢軸１６ａ，１６ｂは、ベース体２のコーナ部上面に立設した一対の板状支持片１０ａ，１０ｂに回動可能に枢支されており、枢軸１６ａ，１６ｂの両端は、支持片１０ａ，１０ｂを幅方向外方に弾性変形させて支持片１０ａ，１０ｂの支持孔に嵌合させて取付ける。これによりレバー体４は、閉止位置と開放位置の間で揺動運動できる。
【００２３】
次に、ベース体２のコーナ部に回動可能に枢支されるレバー体４が閉止状態において、平面視Ｌ字状に形成されるコーナ部を挟む外側の２辺には、ベース体２とレバー体４の閉止位置を保持する一対のロック手段７ａ，７ｂが具備されている。詳しくは、ロック手段７ａ，７ｂは、それぞれが同一構造で構成されており、同一符号を用いて一方のロック手段７ａのみに付き説明する。このロック手段７ａは、ベース体２の平面視直角に交叉する外側辺のほぼ中間に、弾性変形可能な薄板状の板状片２２が立設しており、その上端には内側に折曲した係止片２２ａが形成されている。一方、レバー体４には、板状片２２に対応する位置に係止片２２ａより幅広の逃げ溝４ａが形成されており、レバー体４を開放する際における係止片２２ａとの干渉を回避している。更に、レバー体４の上面には、上記逃げ溝４ａと同一幅の浅溝４ｂが外側辺と直交する方向に形成され、浅溝４ｂの底面には低摩擦シート２６が貼着されている。又、レバー体４の上面には、浅溝４ｂの両側に一対の板状の支持片２４ａ，２４ｂが立設しており、両支持片２４ａ，２４ｂにはロックレバー２５が回動可能に枢着されている。ロックレバー２５は、その先端に下方に突出するカム部２５ａが形成されると共にカム部２５ａの先端には上部に突出する係止爪２５ｂが形成されており、カム部２５ａの両側には、支持片２４ａ，２４ｂの支持孔に挿通支持される一対の支持軸２８が突設している。
【００２４】
次に、上記のように構成されたシート挟持具の使用法に関して説明する。このシート挟持具（以下、単に、挟持具１とも言う）は、ガラス面Ｗに、シート体Ｓを取り付ける際に、シート体Ｓの四隅コーナ部を挟持する為、例えば面Ｗのコーナ等を利用して、シート体Ｓの四隅コーナ部に対応する４箇所に予め貼着される。挟持具１の貼着に際し、面Ｗの４箇所に挟持具１のベース体２底面が図示しない両面テープまたは接着剤を介して貼着される。４箇所に貼着された挟持具１により、シート体Ｓの四隅コーナ部を挟持具１で挟持する方法に付き説明する。先ず、レバー体４が開放された状態において、レバー体４のコーナ部に形成された突状体１８の下端と、ベース体２コーナ部の片持ち帯状体８の上面との間に僅かな隙間が形成される。その隙間にシート体Ｓのコーナ部を差し込み、レバー体４を枢軸１６ａ，１６ｂを中心として閉止方向に回動させる。レバー体４を閉止方向に回動させると、シート体Ｓのコーナ部は奥に引き込まれ、レバー体４が閉止状態となると、突状体１８近傍に設けたゴム紐状の粘着部材２０がシート体Ｓのコーナ部を押圧し、その移動が固定される。更に、シート体Ｓのコーナ部はベース体２の粘性部材５ａ，５ｂとレバー体４の挟持面１２ａ，１２ｂで挟まれ、同時にレバー体４下面のゴム状粘着部材１５とベース体２の平面部と挟持されるので、緩みのないシート部Ｓの固定が実現される。その後、一対のロック手段７ａ，７ｂが操作され、ロックレバー２５の開放状態から一対の支持軸２８を中心として閉止方向に回動させると、下方に突出したカム部２５ａが低摩擦シート２６の上面を滑動しつつ押圧した状態で、上部に突出する係止爪２５ｂが係止片２２ａの下面に接触する。この接触状態では、カム部２５ａの下方に向く突出部が低摩擦シート２６上面の支持軸２８直下点に位置して低摩擦シート２６上面を強く押圧した状態となり、ロックレバー２５を更にレバー体４上面に近接する位置まで回動させて、支持軸２８の直下点を通過した際に係止爪２５ｂは、係止片２２ａの弾力により係止されてロック状態が得られる。次に、レバー体４を開放する際は、一対のロック手段７ａ，７ｂのロックレバー２５を上方に回動させることで、容易に開放することが出来、これにより、シート体Ｓの各コーナ部が挟持具１から取り外される。従って、上記のように構成された挟持具１によれば、ベース体２とレバー体４とは、枢軸１６ａ，１６ｂの両端が幅方向に弾性変形可能な一対の板状支持片１０ａ，１０ｂに嵌め合わされて回動可能に枢支されているので、両者の嵌め合わせは楽であり、しかも、シート体Ｓのコーナ部を挟持する際に、このコーナ部を奥に引き込んだ後に挟持するので、シート体Ｓをピンとした状態で張ることが出来る。しかもシート体Ｓに厚みの違いがあっても弾性変形可能な片持ち帯状体８の弾力で吸収することができるので、各種シートが適用可能となる。
【００２５】
次に、本発明のシートＳについて説明する。
【００２６】
本発明で用いられるシートＳは、窓ガラスの大きさに相当する大きさである。このシートＳは、低密度（軽量）な樹脂製のシートである。シートＳの一面（表面）には、例えばＡｌ等が蒸着されている。従って、シートＳの一面（表面）は光反射面が構成されていることになる。シートＳの他面（裏面）は、例えば黒色に着色されている。従って、シートＳの他面（裏面）は光吸収面が構成されていることになる。すなわち、シートＳの一面が室外に向けられると、太陽光線は反射され、シートＳの他面が室外に向けられると、太陽光線が吸収されるように構成されている。シートＳには小さな孔０が無数に形成されている。この孔０は、例えば０．１ｍｍ〜３ｍｍ程度の大きさである。より具体的には１ｍｍ程度である。そして、０．１ｍｍ〜３ｍｍ程度、例えば１ｍｍ程度の間隔を置いて孔０が全面的に設けられている。尚、孔０は、例えばプレス手段などによって簡単に形成できる。シートＳの他面（裏面）には透明フィルム（図示せず）がラミネートされており、孔０は塞がれたものになっている。
【００２７】
さて、上記のように構成させたシート挟持具とシートとを用いることによって、夏季においては、太陽光の室内への入射を効果的に防止でき、冬季においては、室内に入射した太陽光を効果的に保持でき、夏季と冬季の双方において省エネ効果が大きい特長が奏される。すなわち、太陽光線が強い夏季においては、シートＳの一面（表面：光反射面）が窓ガラス面に対向するように配置しておけば、室内の温度上昇を効果的に抑制できる。夏が過ぎ、秋から冬に差し掛かった時期においては、シートＳの他面（裏面：光吸収面）が窓ガラス面に対向するようにしておけば、室内の温度を効果的に高めることが出来る。
【００２８】
しかも、シートはシート挟持具によって挟持されているのみであるから、シートの裏・表を取り換える作業が極めて簡単である。
【００２９】
そして、シートが汚れた場合には、シートのみを取り外せば、洗濯機でも洗濯でき、いつも綺麗にしておくことが出来る。
【００３０】
又、シートＳには微細な孔０が無数に設けられていることから、この孔０から適度な採光が可能である。従って、シートＳによって窓ガラスが覆われていても、室内が完全に暗くなってしまうことが無い。
【００３１】
そして、シートＳに孔０が設けられているとは言うものの、この孔０を介して、外部から室内の様子を完全に覗くと言ったことは出来ず、この点における問題も起きない。
【００３２】
又、孔０が設けられているとは言うものの、この孔０は透明フィルムによって塞がれていることから、孔０を介してシートＳの両側間で空気の流通が起きることは無く、それだけ熱が遮断されることになる。
【００３３】
更に、シートはシート挟持具によって挟持されているから、シートＳと窓ガラスとの間には、適度な隙間が存在することになる。すなわち、窓ガラスに対してシートＳが全面的に密着しているものでは無い。このことは、窓ガラスとシートとの間に空気層が設けられていることを意味する。従って、恰も、二重窓の如くになり、夏季においては、冷房機で冷却された室内の温度はシートＳによって遮断・保持され、冷房効果が持続する。逆に、冬季においては、暖房機で暖められた室内の温度はシートＳによって遮断・保持され、暖房効果が持続する。
【図面の簡単な説明】
【００３４】
【図１】シート挟持具の平面図
【図２】図１のＡ矢視図
【図３】図１のＢ矢視図
【図４】図１におけるＣ−Ｃ線断面図
【図５】開放状態にあるシート挟持具の斜視図
【図６】図５のＤ−Ｄ線断面図
【図７】シートの平面図
【符号の説明】
【００３５】
Ｓ    シート
０    孔
代  理  人  宇  高  克  己
【図１】
2007085081.tif 000003
【図２】
2007085081.tif 000004
【図３】
2007085081.tif 000005
【図４】
2007085081.tif 000006
【図５】
2007085081.tif 000007
【図６】
2007085081.tif 000008
【図７】
2007085081.tif 000009